(57)【要約】【課題】非常用光源のまぶしさの低減を図る。【解決手段】非常用照明器具Ｘ１は、非常用電源から給電されて点灯する長尺の第２光源ユニット２と、第２光源ユニット２を支持して踊り場の壁又は天井に取り付けられる器具本体３とを備える。非常用照明器具Ｘ１は、更に、器具本体３の前面に設けられ、第２光源ユニット２から放射される光の少なくとも一部を反射する１つ以上の反射面を有する反射体３５を備える。【選択図】        図１
2019153397.tif 000002
【特許請求の範囲】
【請求項１】
階段及び踊り場を含む避難通路を照明する非常用照明器具であって、
非常用電源から給電されて点灯する長尺の非常用光源と、
前記非常用光源を支持して前記踊り場の壁又は天井に取り付けられる器具本体と、
前記器具本体の前面に設けられ、前記非常用光源から放射される光の少なくとも一部を反射する１つ以上の反射面を有する反射体と、
を備える、
非常用照明器具。
【請求項２】
前記１つ以上の反射面は、前記非常用光源の下側に配置されて前記非常用光源から下方に放射される光を反射する反射面を含んでいる、
請求項１記載の非常用照明器具。
【請求項３】
前記１つ以上の反射面は、前記非常用光源の上側に配置されて前記非常用光源から上方に放射される光を反射する反射面を含んでいる、
請求項２記載の非常用照明器具。
【請求項４】
前記非常用光源は、前記光を放射する複数の発光面を有し、
前記複数の発光面は、前記反射面と対向する第１の発光面と、前記反射面と対向しない第２の発光面とを含んでいる、
請求項１〜３のいずれか１項に記載の非常用照明器具。
【請求項５】
前記１つ以上の反射面は、拡散反射又は混合反射を行う反射面である、
請求項１〜４のいずれか１項に記載の非常用照明器具。
【請求項６】
前記避難通路に関わる情報を表示する表示部が、前記１つ以上の反射面のうちの少なくとも１つの反射面に設けられている、
請求項１〜５のいずれか１項に記載の非常用照明器具。
【請求項７】
前記表示部は、前記避難通路に関わる情報として、前記踊り場に対応した階数を表示するように構成されている、
請求項６記載の非常用照明器具。
【請求項８】
前記器具本体に支持され、かつ、常用電源から給電されて点灯する長尺の常用光源を備える、
請求項１〜７のいずれか１項に記載の非常用照明器具。
【発明の詳細な説明】
【技術分野】
【０００１】
本発明は、非常用照明器具に関し、より詳細には、階段及び踊り場を含む避難通路を照明する非常用照明器具に関する。
【背景技術】
【０００２】
従来例として特許文献１記載の非常用照明器具を例示する。特許文献１記載の非常用照明器具（以下、従来例と呼ぶ。）は、常用光源ユニットと、２つの非常用光源ユニットと、器具本体と、非常用電源ユニットと、電池ユニットとを備える。器具本体は、長尺の矩形平板状に形成される背板と、長尺の矩形平板状であり、かつ、背板よりも短い上板及び下板とを有する。２つの非常用光源ユニットは、ＬＥＤ（Light Emitting Diode）と、ＬＥＤから放射される光の配光を制御するレンズと、ＬＥＤを保持するホルダとを備える。非常用光源ユニットは、器具本体の長手方向の両端に一つずつ取り付けられる。
【先行技術文献】
【特許文献】
【０００３】
【特許文献１】特開２０１７−５０２５７号公報
【発明の概要】
【発明が解決しようとする課題】
【０００４】
ところで、上記従来例のような非常用照明器具に対して非常用光源のまぶしさ（グレア）を低減することが望まれる場合がある。しかしながら、上記従来例のように点光源（ＬＥＤ）とレンズが組み合わされた非常用光源ではまぶしさの低減を図ることが難しい。
【０００５】
本発明の目的は、非常用光源のまぶしさの低減を図ることができる非常用照明器具を提供することである。
【課題を解決するための手段】
【０００６】
本発明の一態様に係る非常用照明器具は、階段及び踊り場を含む避難通路を照明する。前記非常用照明器具は、非常用電源から給電されて点灯する長尺の非常用光源と、前記非常用光源を支持して前記踊り場の壁又は天井に取り付けられる器具本体とを備える。前記非常用照明器具は、更に、前記器具本体の前面に設けられ、前記非常用光源から放射される光の少なくとも一部を反射する１つ以上の反射面を有する反射体を備える。
【発明の効果】
【０００７】
本発明の非常用照明器具は、非常用光源のまぶしさの低減を図ることができるという効果がある。
【図面の簡単な説明】
【０００８】
【図１】図１は、本発明の一実施形態に係る非常用照明器具の正面図である。
【図２】図２は、同上の非常用照明器具が設置された階段及び踊り場を水平方向から見た概略図である。
【図３】図３は、同上の非常用照明器具の分解斜視図である。
【図４】図４は、同上の非常用照明器具の側面断面図である。
【図５】図５は、同上の非常用照明器具の変形例１を示す要部の断面図である。
【図６】図６Ａは、同上の非常用照明器具の変形例２を示す一部省略した正面図である。図６Ｂは、同上の非常用照明器具の変形例２を示す要部の断面図である。
【発明を実施するための形態】
【０００９】
本発明の一態様に係る非常用照明器具の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
実施形態の非常用照明器具Ｘ１は、例えば、建物の避難経路となる階段Ｓ１、Ｓ２の踊り場Ｆ１の壁Ｗ１に設置される、いわゆる階段通路誘導灯である（図２参照）。ただし、以下の説明では、特に断りのない限り、図３に矢印で示す向きにおいて非常用照明器具Ｘ１の前後、上下、左右の各方向を規定する。すなわち、鉛直方向を非常用照明器具Ｘ１の上下方向とし、壁Ｗ１の法線方向を非常用照明器具Ｘ１の前後方向とし、壁Ｗ１に正対したときの左右方向を非常用照明器具Ｘ１の左右方向とする。ただし、非常用照明器具Ｘ１は、建物の階段室の天井（踊り場の下面）から吊り下げるように設置されてもかまわない。
【００１１】
非常用照明器具Ｘ１は、図１、図３及び図４に示すように、常用光源に相当する第１光源ユニット１と、非常用光源に相当する第２光源ユニット２とを備える。非常用照明器具Ｘ１は、常用電源（商用の電力系統）から給電されて第１光源ユニット１を点灯させる第１点灯装置１３と、非常用電源（電池ユニット６）から給電されて第２光源ユニット２を点灯させる第２点灯装置４とを備える。非常用照明器具Ｘ１は、更に、第１光源ユニット１、第２光源ユニット２及び第２点灯装置４を支持して踊り場の壁に取り付けられる器具本体３を備える。
【００１２】
器具本体３は、長尺の矩形平板状に形成される背板３０と、背板３０の上端に取り付けられる上カバー３１と、背板３０の下端に取り付けられる下カバー３２と、背板３０の長手方向の両端から前方へ突き出る一対の側板３３とを有している（図３参照）。
【００１３】
上カバー３１は、長尺の矩形平板状に形成される上板３１０と、長尺の矩形平板状に形成されて上板３１０の前端から下向きに突き出る第１前板３１１とを有している（図３参照）。上カバー３１は、背板３０の上端から前方へ上板３１０を突き出させるようにして背板３０に取り付けられる。ただし、上板３１０と第１前板３１１とは、金属板が曲げ加工されることによって一体に形成されている。
【００１４】
下カバー３２は、長尺の矩形平板状に形成される下板３２０と、長尺の矩形平板状に形成されて下板３２０の前端から上向きに突き出る第２前板３２１とを有している（図１Ｂ及び図３参照）。下カバー３２は、背板３０の下端から前方へ下板３２０を突き出させるようにして背板３０に取り付けられる。ただし、下板３２０と第２前板３２１とは、金属板が曲げ加工されることによって一体に形成されている。
【００１５】
背板３０には、踊り場の壁に埋設されているアンカーボルトが挿通可能な複数（図示例では４つ）の長孔３００が長手方向に沿って、間隔を空けて設けられている（図３参照）。また、背板３０の長手方向のほぼ中央には、常用電源からの給電用の給電線が挿通される、複数（図示例では２つ）の丸孔３０１が長手方向に並ぶように設けられている。さらに、背板３０の前面における丸孔３０１の近傍には、複数（図示例では３つ）の端子台３４が取り付けられている（図３参照）。これらの端子台３４には、丸孔３０１から引き込まれる給電線や、建物に設置されている自動火災報知設備から火災信号を受信するための信号線などが電気的に接続される。
【００１６】
電池ユニット６は、ニッケル水素電池などの２次電池を複数有し、これら複数の２次電池が合成樹脂成形体のケースに収容されて構成される。なお、電池ユニット６は、背板３０の前面における左端の部位に取り付けられる（図３参照）。
【００１７】
第２点灯装置４は、常用電源から給電される交流電力を直流電力に変換して電池ユニット６を充電する充電回路と、常用電源が停電したときに電池ユニット６から第２光源ユニット２に供給される直流電流を調整する点灯回路とを有する。さらに、第２点灯装置４は、後述する点検スイッチが押操作されたとき、充電回路を強制的に停止し、かつ、電池ユニット６から給電される直流電力で点灯回路に第２光源ユニット２を点灯させるように構成される。なお、第２点灯装置４は、図３に示すように、背板３０の前面における右端の部位に取り付けられる。
【００１８】
点検スイッチは、スイッチブロック５に設けられている。スイッチブロック５は、合成樹脂製の箱体５０を有している（図４参照）。箱体５０には、押ボタンスイッチからなる点検スイッチ、赤外線を媒体とするワイヤレス信号を受信する受光素子などが収容されている。そして、箱体５０の下面には、複数の孔が設けられ、これらの孔を通して点検スイッチの押ボタンの押操作や、受光素子によるワイヤレス信号の受信が可能となっている。なお、第２点灯装置４は、受光素子でワイヤレス信号を受信した場合も、点検スイッチが押操作されたときと同じく、充電回路を強制的に停止し、かつ、電池ユニット６から給電される直流電力で点灯回路に第２光源ユニット２を点灯させる。
【００１９】
第１光源ユニット１は、図３に示すように、２つのＬＥＤモジュール１０と、２つのＬＥＤモジュール１０が一列に並べて取り付けられる取付部材１１とを備える。また、第１光源ユニット１は、２つのＬＥＤモジュール１０を覆うようにして取付部材１１に取り付けられるカバー１２と、第１点灯装置１３とを備える（図４参照）。
【００２０】
ＬＥＤモジュール１０は、長尺の矩形板状に形成された実装基板１００を有する。実装基板１００は、その前面に複数のＬＥＤ１０１が左右方向（長手方向）に沿って１列に並ぶように実装されている。なお、２つのＬＥＤモジュール１０は、一対のコネクタ１０２によって電気的に接続されている。
【００２１】
取付部材１１は、板金に曲げ加工を施すことでＵ字状に形成される。取付部材１１は、長尺かつ矩形板状に形成された底板１１０と、底板１１０の上端及び下端からそれぞれ後方に突き出た一対の側板１１１とを有する。これら一対の側板１１１の後端には、図４に示すように、互いに離れる向き（外向き）に湾曲する引掛部１１２がそれぞれ全長にわたって設けられる。なお、上述した２つのＬＥＤモジュール１０は、例えば、取付部材１１の底板１１０の一部を切り起こすことで形成された爪により、取付部材１１に固定される。
【００２２】
また、取付部材１１は、長手方向における両端寄りの位置において、鉤形の先端を上側の引掛部１１２よりも上方に突き出させた一対の引掛金具（不図示）と、上側の側板１１１の下に配置される一対の引掛ばね１１４とを有している（図４参照）。なお、一対の引掛ばね１１４は、ねじりコイルばねで構成され、両端を後方に向けるように上側の側板１１１に取り付けられる（図４参照）。
【００２３】
第１点灯装置１３は、常用電源から供給される交流電力を直流電力に変換し、当該直流電力を２つのＬＥＤモジュール１０に供給して点灯させるように構成される。第１点灯装置１３は、取付部材１１の後面側において、例えば、ねじなどを用いて側板１１１に取り付けられる（図４参照）。
【００２４】
カバー１２は、光拡散性を有する材料（例えば乳白色のアクリル樹脂）により後面（取付部材１１側の面）が開口する長尺の矩形の箱状に形成されている（図３及び図４参照）。カバー１２の後面における上下両側の端部には、図４に示すように、後方へ突き出た突壁部１２０が長手方向の全長にわたってそれぞれ設けられている。これら一対の突壁部１２０の後端には、内向き（上側の突壁部１２０では下向き、下側の突壁部１２０では上向き）に突き出る突起部１２１がそれぞれ設けられている。カバー１２は、一対の突壁部１２０の突起部１２１が、取付部材１１の一対の側板１１１の引掛部１１２にそれぞれ引っ掛かることにより、取付部材１１の前面を覆うように取付部材１１に取り付けられる（図４参照）。
【００２５】
上述のように構成される第１光源ユニット１は、一対の引掛金具の鉤形の先端が器具本体３の背板３０に設けられる受け金具３０３に引っ掛けられる。さらに、第１光源ユニット１は、一対の引掛ばね１１４の両端が、器具本体３の背板３０に設けられている引掛板３０２の溝の縁に引っ掛けられることで器具本体３に取り付けられる（図４参照）。
【００２６】
第２光源ユニット２は、ＬＥＤモジュール２０と、ＬＥＤモジュール２０を収容する筐体２１を有している（図４参照）。ＬＥＤモジュール２０は、長方形板状に形成されている実装基板２００、実装基板２００の実装面（前面）に実装基板２００の長手方向に沿って一列に並べて実装された複数のＬＥＤチップ（不図示）、複数のＬＥＤチップを封止する封止樹脂２０１などを有する。複数のＬＥＤチップは青色光を放射する。封止樹脂２０１は、シリコーン樹脂のような透光性を有する合成樹脂からなる。また、封止樹脂２０１には青色光を黄色光に波長変換する蛍光物質が混入されている。すなわち、ＬＥＤモジュール２０は、複数のＬＥＤチップから放射される青色光と、蛍光物質で波長変換された黄色光との混色によって白色光を放射するように構成されている。ただし、第２光源ユニット２は、ＬＥＤモジュール２０の代わりに有機エレクトロルミネッセンス素子又は直管形の冷陰極放電ランプを有していてもよい。
【００２７】
筐体２１は、前面が開放された長尺の矩形箱状に形成されている本体２２と、本体２２の開口面（前面）を閉塞するカバー２３とを有している。本体２２の開口端（前端）には矩形枠状の固定片２２０が形成されている。本体２２の内底面にＬＥＤモジュール２０が取り付けられている。本体２２は金属材料で形成されてもよいし、合成樹脂材料で形成されてもよい。カバー２３は、ケイ酸塩ガラスや石英ガラスのような透光性を有する不燃材で形成されることが好ましい。カバー２３は、接着又はねじ止めなどの適宜の方法で本体２２と結合される。なお、ＬＥＤモジュール２０は、本体２２から引き出される電線（不図示）によって第２点灯装置４と電気的に接続される。
【００２８】
第２光源ユニット２は、電線を介して第２点灯装置４から供給される直流電力によって点灯する。具体的には、第２点灯装置４から電線を介して供給される直流電流がＬＥＤモジュール２０に流れることでＬＥＤモジュール２０が発光し、ＬＥＤモジュール２０から放射される光がカバー２３を通して筐体２１の外に取り出される。
【００２９】
第２光源ユニット２は、図４に示すように、器具本体３の下カバー３２の第２前板３２１に取り付けられている。第２前板３２１の長手方向の中央に反射体３５が設けられている。反射体３５は、４つの反射板（下反射板３５０、上反射板３５１、左反射板３５２、右反射板３５３）を有する四角錐台形状に形成されている。反射体３５は、第２前板３２１の前面から器具本体３の内部に突き出している。反射体３５の底（後端）に長方形状の出射窓３２２が開口している。第２光源ユニット２の光は、出射窓３２２を通して器具本体３の外に出射される。
【００３０】
下反射板３５０、上反射板３５１、左反射板３５２及び右反射板３５３は、それぞれ台形状に形成されている。下反射板３５０は、前方から見て出射窓３２２の下側に配置されている。上反射板３５１は、前方から見て出射窓３２２の上側に配置されている。左反射板３５２は、前方から見て出射窓３２２の左側に配置されている。右反射板３５３は、前方から見て出射窓３２２の右側に配置されている（図１参照）。
【００３１】
下反射板３５０、上反射板３５１、左反射板３５２及び右反射板３５３は、各々の表面（前面）で拡散反射又は混合反射（同時に正反射性と拡散反射性とがある反射。）を行うように構成されている。
【００３２】
下反射板３５０、上反射板３５１、左反射板３５２及び右反射板３５３の各々の先端（後端）に矩形枠状のフランジ３５４が形成されている。フランジ３５４は出射窓３２２から遠ざかる向きに突き出ている（図４参照）。
【００３３】
第２光源ユニット２は、本体２２の固定片２２０がフランジ３５４に固定されることで器具本体３に取り付けられる（図４参照）。反射体３５の底に位置する出射窓３２２は第２光源ユニット２のカバー２３によって閉塞される（図１、図３及び図４参照）。
【００３４】
第２光源ユニット２から放射される光の一部は、反射体３５で反射されずに直接踊り場Ｆ１及び階段Ｓ１、Ｓ２に照射される。また、第２光源ユニット２から放射される光の残りの一部は、反射体３５の反射面（下反射板３５０、上反射板３５１、左反射板３５２及び右反射板３５３の表面）で反射されて踊り場Ｆ１及び階段Ｓ１、Ｓ２に照射される。ここで、第２光源ユニット２の照射範囲は、おおよそ、図２に示した一点破線Ｌ１及びＬ２に囲まれた範囲となる。
【００３５】
非常用照明器具Ｘ１において、第２光源ユニット２は、ＬＥＤモジュール２０から放射される光の一部を反射体３５の反射面（下反射板３５０、上反射板３５１、左反射板３５２及び右反射板３５３の各々の表面）で反射させている。そのため、非常用照明器具Ｘ１は、レンズで配光を制御している従来例に比べて、光を前方に照射している面（カバー２３の前面及び反射体３５の表面）の面積を十分に大きくして輝度を低下させることができる。その結果、非常用照明器具Ｘ１は、階段Ｓ１、Ｓ２を昇降する人に対して、第２光源ユニット２のまぶしさの低減を図ることができる。
【００３６】
ところで、非常用照明器具Ｘ１において、反射体３５の下反射板３５０の表面（反射面）に、避難通路に関わる情報を表示する表示部３６が設けられている（図１及び図３参照）。表示部３６は、避難通路に関わる情報として、踊り場（Ｆ１）に対応した階数を表す数字（図示例では「２」と「３」）と、階段Ｓ１、Ｓ２の向きを表す記号（図示例では下向きの黒塗り三角形と上向きの黒塗り三角形）とを有している。ただし、表示部３６が表示する情報（避難通路に関わる情報）は、階数を表す数字及び階段Ｓ１、Ｓ２の向きを表す記号に限定されない。また、表示部３６が設けられる反射板は下反射板３５０に限定されず、上反射板３５１、左反射板３５２及び右反射板３５３であってもよい。
【００３７】
特許文献１記載の従来例では、常用光源ユニットの左端及び右端の前面に階数表示用のシールが貼り付けられたり、２つの非常用光源ユニットの各々の表面に階数表示用のシールが貼り付けられていた。そのため、特許文献１記載の従来例では、階数表示用のシールに非常用光源ユニットの光が照射されにくいために階数表示の視認性の向上が望まれていた。
【００３８】
これに対して実施形態の非常用照明器具Ｘ１は、第２光源ユニット２の光を反射する反射体３５の反射面（下反射板３５０の表面）に表示部３６を設けているので、特許文献１記載の従来例に比べて、階数表示の視認性の向上を図ることができる。
【００３９】
次に、非常用照明器具Ｘ１の２つの変形例１、２を例示する。変形例１の非常用照明器具Ｘ１は、図５に示すように、反射体３５の底の前面に第２光源ユニット２を取り付けている。また、第２光源ユニット２の筐体２４は、長尺の矩形平板状に形成されている本体２５と、後面が開放された長尺の矩形箱状に形成されているカバー２６とを有している。本体２５の前面にＬＥＤモジュール２０が取り付けられている。本体２５は金属材料で形成されてもよいし、合成樹脂材料で形成されてもよい。カバー２６は、ケイ酸塩ガラスや石英ガラスのような透光性を有する不燃材で形成されることが好ましい。本体２５は、カバー２６の後面を閉塞するようにカバー２６と結合される。
【００４０】
変形例１における第２光源ユニット２は、カバー２６の５つの面（本体２５で閉塞された後面を除く５つの面）から光を出射するように構成されている。そして、これらカバー２６の５つの面のうちで前面を除いた４つの面（下面、上面、左側面及び右側面）から出射される光の一部が反射体３５の反射面で反射される。つまり、第２光源ユニット２は、光を放射する複数の発光面（カバー２６の前面、下面、上面、左側面及び右側面）を有している。これら複数の発光面は、反射面（下反射板３５０、上反射板３５１、左反射板３５２及び右反射板３５３の各表面）と対向する第１の発光面（カバー２６の前面を除く４つの面）と、反射面と対向しない第２の発光面（カバー２６の前面）とを含んでいる。
【００４１】
変形例１の非常用照明器具Ｘ１は、第１の発光面と第２の発光面を含む複数の発光面を第２光源ユニット２に設けているので、第２光源ユニット２の光量を減らさずに輝度を低下させ、第２光源ユニット２のまぶしさの更なる低減を図ることができる。
【００４２】
次に、変形例２の非常用照明器具Ｘ１を説明する。変形例２の非常用照明器具Ｘ１は、反射体３５の上反射板３５１が器具本体３の下面（下カバー３２の下板３２０の下面）とほぼ平行するように形成されている（図６Ｂ参照）。また、第２光源ユニット２は、反射体３５の底の前面に取り付けられている。
【００４３】
第２光源ユニット２の筐体２７は、長尺の角柱状（図示例では五角柱状）に形成されている本体２８と、後方の側面が開放された中空かつ長尺の三角柱状に形成されているカバー２９とを有している。本体２８の前面にＬＥＤモジュール２０が取り付けられている（図６Ｂ参照）。本体２８は金属材料で形成されてもよいし、合成樹脂材料で形成されてもよい。カバー２９は、ケイ酸塩ガラスや石英ガラスのような透光性を有する不燃材で形成されることが好ましい。本体２８とカバー２９は、カバー２９の開口面を本体２８で閉塞し、かつ、ＬＥＤモジュール２０をカバー２９の中空の内部に収容するように結合される（図６Ｂ参照）。筐体２７は、本体２８の上方の側面を上反射板３５１に接触させ、本体２８の後方の側面を反射体３５の底面に接触させ、本体２８の左右の両側面を左反射板３５２及び右反射板３５３に接触させて器具本体３に取り付けられている（図６Ａ及び図６Ｂ参照）。
【００４４】
変形例２における第２光源ユニット２は、カバー２９の２つの面（前方の側面と下方の側面）から光を出射するように構成されている。そして、これらカバー２９の２つの面から出射される光の一部が反射体３５の反射面で反射される。つまり、第２光源ユニット２は、光を放射する複数の発光面（カバー２９の下面及び前面）を有している。これら複数の発光面は、反射面（下反射板３５０の表面）と対向する第１の発光面（カバー２９の下面）と、反射面と対向しない第２の発光面（カバー２９の前面）とを含んでいる。
【００４５】
変形例２の非常用照明器具Ｘ１は、第１の発光面と第２の発光面を含む複数の発光面を第２光源ユニット２に設けているので、第２光源ユニット２の光量を減らさずに輝度を低下させ、第２光源ユニット２のまぶしさの更なる低減を図ることができる。
【００４６】
上述のように本発明の第１の態様に係る非常用照明器具（Ｘ１）は、階段及び踊り場を含む避難通路を照明する。第１の態様に係る非常用照明器具（Ｘ１）は、非常用電源から給電されて点灯する長尺の非常用光源（第２光源ユニット２）と、非常用光源（第２光源ユニット２）を支持して踊り場の壁又は天井に取り付けられる器具本体（３）とを備える。第１の態様に係る非常用照明器具（Ｘ１）は、更に、器具本体（３）の前面に設けられ、非常用光源（第２光源ユニット２）から放射される光の少なくとも一部を反射する１つ以上の反射面を有する反射体（３５）を備える。
【００４７】
第１の態様に係る非常用照明器具（Ｘ１）は、非常用光源（第２光源ユニット２）の光を反射体（３５）の反射面に反射させているので、レンズで配光を制御している従来例に比べて、光を照射している面の面積を十分に大きくして輝度を低下させることができる。その結果、第１の態様に係る非常用照明器具（Ｘ１）は、非常用光源（第２光源ユニット２）のまぶしさの低減を図ることができる。
【００４８】
本発明の第２の態様に係る非常用照明器具（Ｘ１）は、第１の態様との組合せにより実現され得る。第２の態様に係る非常用照明器具（Ｘ１）において、１つ以上の反射面は、非常用光源（第２光源ユニット２）の下側に配置されて非常用光源（第２光源ユニット２）から下方に放射される光を反射する反射面（下反射板３５０の表面）を含んでいることが好ましい。
【００４９】
第２の態様に係る非常用照明器具（Ｘ１）は、非常用光源（第２光源ユニット２）の光を下方に配光することができる。
【００５０】
本発明の第３の態様に係る非常用照明器具（Ｘ１）は、第２の態様との組合せにより実現され得る。第３の態様に係る非常用照明器具（Ｘ１）において、１つ以上の反射面は、非常用光源（第２光源ユニット２）の上側に配置されて非常用光源（第２光源ユニット２）から上方に放射される光を反射する反射面（上反射板３５１の表面）を含んでいることが好ましい。
【００５１】
第３の態様に係る非常用照明器具（Ｘ１）は、非常用光源（第２光源ユニット２）の光を上方に配光することができる。
【００５２】
本発明の第４の態様に係る非常用照明器具（Ｘ１）は、第１〜第３の態様のいずれか一つとの組合せにより実現され得る。第４の態様に係る非常用照明器具（Ｘ１）において、非常用光源（第２光源ユニット２）は、光を放射する複数の発光面（カバー２６の前面、下面、上面、左側面及び右側面）を有することが好ましい。複数の発光面は、反射面（下反射板３５０、上反射板３５１、左反射板３５２及び右反射板３５３の各表面）と対向する第１の発光面（カバー２６の前面を除く４つの面）と、反射面と対向しない第２の発光面（カバー２６の前面）とを含んでいることが好ましい。
【００５３】
第４の態様に係る非常用照明器具（Ｘ１）は、非常用光源（第２光源ユニット２）の光量を減らさずに輝度を低下させるので、非常用光源（第２光源ユニット２）のまぶしさの更なる低減を図ることができる。
【００５４】
本発明の第５の態様に係る非常用照明器具（Ｘ１）は、第１〜第４の態様のいずれか一つとの組合せにより実現され得る。第５の態様に係る非常用照明器具（Ｘ１）において、，１つ以上の反射面は、拡散反射又は混合反射を行う反射面であることが好ましい。
【００５５】
第５の態様に係る非常用照明器具（Ｘ１）は、１つ以上の反射面が正反射のみを行う場合と比較して、非常用光源（第２光源ユニット２）のまぶしさの更なる低減を図ることができる。
【００５６】
本発明の第６の態様に係る非常用照明器具（Ｘ１）は、第１〜第５の態様のいずれか一つとの組合せにより実現され得る。第６の態様に係る非常用照明器具（Ｘ１）において、避難通路に関わる情報を表示する表示部（３６）が、１つ以上の反射面のうちの少なくとも１つの反射面（下反射板３５０の表面）に設けられていることが好ましい。
【００５７】
第６の態様に係る非常用照明器具（Ｘ１）は、反射面に設けられた表示部（３６）によって避難通路に関わる情報を表示させるので、適切な避難誘導を行うことができる。
【００５８】
本発明の第７の態様に係る非常用照明器具（Ｘ１）は、第６の態様との組合せにより実現され得る。第７の態様に係る非常用照明器具（Ｘ１）において、表示部（３６）は、避難通路に関わる情報として、踊り場（Ｆ１）に対応した階数を表示するように構成されていることが好ましい。
【００５９】
第７の態様に係る非常用照明器具（Ｘ１）は、表示部（３６）に踊り場（Ｆ１）に対応した階数表示を行わせるので、更に適切な避難誘導を行うことができる。
【００６０】
本発明の第８の態様に係る非常用照明器具（Ｘ１）は、第１〜第７の態様のいずれか一つとの組合せにより実現され得る。第８の態様に係る非常用照明器具（Ｘ１）において、器具本体（３）に支持され、かつ、常用電源から給電されて点灯する長尺の常用光源（第１光源ユニット１）を備えることが好ましい。
【００６１】
第８の態様に係る非常用照明器具（Ｘ１）は、非常用照明だけでなく常用照明も行うことで使い勝手の向上を図ることができる。
【符号の説明】
【００６２】
Ｘ１  非常用照明器具
１  第１光源ユニット（常用光源）
２  第２光源ユニット（非常用光源）
３  器具本体
３５  反射体
３６  表示部
【図１】
2019153397.tif 000003
【図２】
2019153397.tif 000004
【図３】
2019153397.tif 000005
【図４】
2019153397.tif 000006
【図５】
2019153397.tif 000007
【図６】
2019153397.tif 000008